(57)【要約】【課題】緩めた端子ねじを復帰ばねで充電保護カバーに押し当てて脱落を防止する端子装置において、端子装置を小型化するとともに配線品質の向上を図る【解決手段】ベース１に固定された端子板２に座金３を有する端子ねじ４が螺合し、この端子ねじ４はベース１との間に挿入された復帰ばね８により軸方向に付勢され、端子板２から抜け出した状態でベース１に装着された充電保護カバー５に押し当てられて保持される端子装置において、復帰ばね８を捩じりコイルばねで構成し、この復帰ばね８を端子ねじ４の頭部に嵌め込むとともに、復帰ばね８の両端８ａを摺動接触させる傾斜面１０をベース１に一体形成し、端子ねじ４を締め付けたときに傾斜面１０で復帰ばね８を変形させるようにする。【選択図】      図１
2005302649.tif 000002
【特許請求の範囲】
【請求項１】
ベースに固定された端子板のねじ穴に座金を有する端子ねじが螺合するとともに、この端子ねじと前記ベースとの間に復帰ばねが挿入され、この復帰ばねにより軸方向に付勢された前記端子ねじは、前記端子板から抜け出した状態で前記ベースに装着された充電保護カバーに押圧保持される端子装置において、
前記復帰ばねを捻りコイルばねで構成し、この復帰ばねを前記端子ねじの頭部に嵌め込むとともに、前記復帰ばねの両端を摺動接触させて前記復帰ばねを変形させる傾斜面を前記ベースに形成し、この傾斜面との接触により変形した前記復帰ばねの復元力により前記端子ねじを前記充電保護カバーに押圧保持するようにしたことを特徴とする端子装置。
【請求項２】
前記端子ねじの頭部の外周面に溝を形成し、この溝に前記復帰ばねを嵌め込んだことを特徴とする請求項１記載の端子装置。
【請求項３】
前記端子ねじの頭部の下部に小径部を形成し、この小径部に前記復帰ばねを嵌め込み、丸ワッシャで押えるようにしたことを特徴とする請求項１記載の端子装置。
【発明の詳細な説明】
【技術分野】
【０００１】
この発明は、主として表示灯や押ボタンスイッチなどの制御器具に用いられる端子装置に関する。
【背景技術】
【０００２】
図９は、この種の端子装置の従来例を示す縦断面図である。図９において、絶縁物のベース１に固定された端子板２に、座金３を有する端子ねじ４が螺合しており、端子ねじ４を緩めて端子板２と座金３との間に図示しない単線や圧着端子を挟み込み、端子ねじ４を締め付けて配線を接続する。ベース１には、充電部への指の接触などを防止する充電保護カバー５が装着されている。ベース１の上部には、図示しないが表示灯の照明部や押ボタンスイッチの接点部などの制御器具本体が連結される。この端子装置は、端子ねじ４を緩めたときに、端子ねじ４が端子板２から脱落し、紛失しやすいという問題がある。
【０００３】
そのため、端子ねじを軸方向に付勢する復帰ばねを設け、この復帰ばねで端子板から抜け出した端子ねじをベースに装着した充電保護カバーに押圧して保持するようにした端子装置が開発され、このような端子装置は特許文献１や特許文献２に記載されている。
【特許文献１】特開平９−１２９２７７号公報
【特許文献２】特開平９−１８０７９０号公報
【発明の開示】
【発明が解決しようとする課題】
【０００４】
上記特許文献１あるいは特許文献２の端子装置においては、端子ねじの座金に復帰ばねを係合させる係合部を一体に折り曲げ形成し、この係合部に復帰ばねを作用させて端子ねじを付勢している。しかしながら、このような特殊な座金を用いる端子装置には次のような問題がある。
【０００５】
まず、復帰ばねを係合させる座金の係合部が側方に張り出すため場所を取り、結果として端子装置が大型化する。次に、座金に特殊な形状を追加することにより端子ねじの組み付けの向きが限定され、端子装置の組み立て時に端子ねじの位置合わせが必要となり組立作業性が悪くなる。更に、端子ねじの締め付け時に、座金の係合部がベースのガイド面と接触するため、単線を配線したりドライバーの挿入角に傾きが生じたりして端子ねじが斜めになると、座金の係合部がベースのガイド面に引っかかり、摩擦が増えて必要な締付け力が得られないことがある。
【０００６】
そこで、この発明の課題は、緩めた端子ねじを復帰ばねで充電保護カバーに押圧して、その脱落を防止するようにした端子装置において、端子装置を小型化するとともに組立作業性と配線品質の向上を図ることにある。
【課題を解決するための手段】
【０００７】
上記課題を解決するために、この発明は、ベースに固定された端子板のねじ穴に座金を有する端子ねじが螺合するとともに、この端子ねじと前記ベースとの間に復帰ばねが挿入され、この復帰ばねにより軸方向に付勢された前記端子ねじは、前記端子板から抜け出した状態で前記ベースに装着された充電保護カバーに押圧保持される端子装置において、前記復帰ばねを捻りコイルばねで構成し、この復帰ばねを前記端子ねじの頭部に嵌め込むとともに、前記復帰ばねの両端を摺動接触させて前記復帰ばねを変形させる傾斜面を前記ベースに形成し、この傾斜面との接触により変形した前記復帰ばねの復元力により前記端子ねじを前記充電保護カバーに押圧保持するようにするものである（請求項１）。この請求項１の発明によれば、復帰ばねを端子ねじの頭部に直接嵌め込むことにより、座金に復帰ばねとの係合部を設ける必要がなく、座金の所要スペースが拡大したり、係合部がベースに引っかかったりすることがない。
【０００８】
請求項１の発明において、前記端子ねじ頭部の外周面に溝を形成し、この溝に前記復帰ばねを嵌め込むとよい（請求項２）。
【０００９】
請求項１の発明において、前記端子ねじ頭部の下部に小径部を形成し、この小径部に前記復帰ばねを嵌め込み、丸ワッシャで押えるようにしてもよい（請求項３）。請求項３の発明によれば、復帰ばねを押し広げることなく端子ねじに嵌め込めるので、端子装置の自動組立が容易になる。
【発明の効果】
【００１０】
この発明によれば、座金を特殊な形状にする必要がないので端子ねじの構造が簡単になり端子装置が小型化するとともに、端子ねじの組み付けの向きを気にする必要がないので組立作業が簡単になる。また、端子ねじが斜めになっても座金がベースに引っかかることがなく、安定した締付け力が得られる。更に、復帰ばねを取り外せば標準の端子ねじとして使用できるので、専用の端子ねじを用いることによる部品の種類の増加や在庫増しの問題も生じない。
【発明を実施するための最良の形態】
【００１１】
以下、図１〜図８に基づいて、角型表示灯の端子装置におけるこの発明の実施の形態について説明する。
【実施例１】
【００１２】
図１〜図３は実施例１を示すもので、図１の（Ａ）は端子ねじを締め付けた状態の端子装置の縦断面図、（Ｂ）はその一部を破断した斜視図、図２の（Ａ）は端子ねじを緩めた状態の端子装置の縦断面図、（Ｂ）はその一部を破断した斜視図、図３は端子装置の分解斜視図である。図１〜図３において、ベース１は方形の基台１ａの対角線上２箇所に角筒状のハウジング１ｂが立ち上げ形成され、その底部に端子板２が嵌め込みにより固定されている。ハウジング１ｂ内において端子板２には、首部にスプリングワッシャ６と正方形の座金３が装着された端子ねじ４が螺合している。ベース１には、方形の充電保護カバー５が脚部５ａ（図３）を介して係合により装着されている。充電保護カバー５の上面には、端子ねじ４に対面するように作業穴７があけられている。
【００１３】
ここで、端子ねじ４の頭部には、復帰ばね８が嵌め込まれている。復帰ばね８は捻りコイルばねで構成され、この復帰ばね８は図６（Ｂ）に示すように、端子ねじ４の頭部外周面に形成された溝４ａに嵌め込まれている。復帰ばね８は押し広げて溝４ａに嵌め込むが、図６（Ａ）に示すように端子ねじ４の頭部の下部に小径部４ｂを形成し、この小径部４ｂに復帰ばね８を嵌め込み、丸ワッシャ９で押えるようにすれば、押し広げることなく嵌め込むことができ端子装置の自動組立が容易になる。図３に示すように、復帰ばね８の左右に延びる両端８ａは鉤形に折り曲げられている。一方、図１及び図２において、ハウジング１ｂ内には、端子ねじ４を左右両側から挟むように、一対の傾斜面１０が一体形成されている。傾斜面１０は端子ねじ４の軸心と平行な平面内において、復帰ばね８の両端８ａに対向するように形成されている。
【００１４】
このような端子装置を図１に示すように組み立てるには、端子板２を固定したベース１のハウジング１ｂに、復帰ばね８を嵌め込んだ端子ねじを挿入し、復帰ばね８の両端８ａを傾斜面１０上に載せる。この状態で端子ねじ４の頭部はハウジング１ｂの上端面から若干突出する。そこで、この頭部を押え付けるようにして、ハウジング１ｂに充電部保護カバー５を装着する。これにより、復帰ばね８は傾斜面１０から反力を受けて内側に縮むように変形し、その復元力により端子ねじ４を充電部保護カバー５に押圧保持する。ベース１の下部には、図７及び図８に示すように表示灯本体１１が連結される。ここで、図７(Ａ)は角形表示灯の背面図、同(Ｂ)は要部側面図、図８は斜視図である。
【００１５】
図２の端子装置に電線を接続するには、端子板２と座金３との間に電線の接続端部あるいは圧着端子を挿入し、作業穴７からドライバーを差し入れて端子ねじ４を端子板２に締め付ける。その際、端子ねじ４の下降に伴い、復帰ばね８の両端８ａは傾斜面１０上を摺動接触しながら変形する。その後、端子ねじ４を緩める際には、端子ねじ４は復帰ばね８の復元力で持ち上げられ、端子板２から抜け出すと、すでに述べたように充電部保護カバー５に押圧保持される。
【実施例２】
【００１６】
図４及び図５は実施例２を示し、図４は端子ねじを締め付けた状態、図５は端子ねじを緩めた状態である。実施例２は、傾斜面１０からの反力で復帰ばね８を外側に広げるように変形させるようにしたものである。なお、図示の場合、両端８ａは左右に真直ぐ伸びている。その他の構成、作用は実施例１と同じなので説明を省略する。なお、図示実施の形態では制御器具として角形表示灯の例を示したが、この発明の端子装置はその他の制御器具、例えば押ボタンスイッチ等にも用い得るものである。
【図面の簡単な説明】
【００１７】
【図１】この発明の実施例１を示し、（Ａ）は端子ねじを締め付けた状態の端子装置の縦断面図、（Ｂ）は同じくベースを破断して内部を示した斜視図である。
【図２】図１の端子装置の端子ねじを緩めた状態を示す図である。
【図３】図１の端子装置の分解斜視図である。
【図４】この発明の実施例２を示し、（Ａ）は端子ねじを締め付けた状態の端子装置の縦断面図、（Ｂ）は同じくベースを破断して内部を示した斜視図である。
【図５】図４の端子装置の端子ねじを緩めた状態を示す図である。
【図６】この発明の端子装置に用いる端子ねじの拡大断面図である。
【図７】この発明の端子装置を備えた制御器具を示し、（Ａ）は背面図、（Ｂ）は側面図である。
【図８】図７の制御器具の斜視図である。
【図９】従来の端子装置を示す縦断面図である。
【符号の説明】
【００１８】
１    ベース
２    端子板
４    座金
５    端子ねじ
６    充電部保護カバー
８    復帰ばね
８ａ  復帰ばねの両端
９    丸ワッシャ
１０    傾斜面
１１    表示灯本体
【図１】
2005302649.tif 000003
【図２】
2005302649.tif 000004
【図３】
2005302649.tif 000005
【図４】
2005302649.tif 000006
【図５】
2005302649.tif 000007
【図６】
2005302649.tif 000008
【図７】
2005302649.tif 000009
【図８】
2005302649.tif 000010
【図９】
2005302649.tif 000011